(57)【要約】      （修正有）【課題】原稿板と摩擦を生じず、走査の品質を確保し、フレキシブルフラットケーブルを使用寿命を延長することができるスキャナーユニットを提供する。【解決手段】スキャナーユニット１００は、枠フレーム体１、制御モジュール、原稿板２、読み取りモジュール３、方向ガイド軸４、ケーブルユニット５を備え、制御モジュールは、枠フレーム体１上に設置し、原稿板２は、枠フレーム体１の上部に設置し、方向ガイド軸４は、枠フレーム体１内に設置し、原稿板２の下に位置し、読み取りモジュール３は、方向ガイド軸４上にスライド可能状態で設置し、ケーブルユニット５の一端は、読み取りモジュール３上に固定して接続し、反対端は、制御モジュール上に固定して接続し、ケーブルユニット５は、制限導入板、及び制限導入板上に接着して固定するフレキシブルフラットケーブルを備え、制限導入板の横断面は、湾曲状を呈する。【選択図】図１
0003155647.tif 000002
【実用新案登録請求の範囲】
【請求項１】
枠フレーム体、制御モジュール、原稿板、読み取りモジュール、方向ガイド軸、ケーブルユニットを備え、
前記制御モジュールは、前記枠フレーム体上に設置し、
前記原稿板は、前記枠フレーム体の上部に設置し、
前記方向ガイド軸は、前記枠フレーム体内に設置し、前記原稿板の下に位置し、
前記読み取りモジュールは、前記方向ガイド軸上にスライド可能状態で設置し、
前記ケーブルユニットの一端は、前記読み取りモジュール上に固定して接続し、反対端は、前記制御モジュール上に固定して接続し、前記ケーブルユニットは、制限導入板、及び前記制限導入板上に接着して固定するフレキシブルフラットケーブルを備え、前記制限導入板の横断面は、湾曲状を呈することを特徴とするスキャナーユニット。
【請求項２】
前記制限導入板の自然状態における横断面は、おおよそ台形を呈し、
前記制限導入板の湾曲状態における横断面は、おおよそ直線状を呈することを特徴とする請求項１に記載のスキャナーユニット。
【請求項３】
前記制限導入板は、基板、及びそれぞれ弾力を備えた状態で、基板側辺に接続する２個の翼板を含み、
前記２個の翼板は、前記基板より外へと向かい、前記基板の長い方向に向かって延伸し形成されることを特徴とする請求項２に記載のスキャナーユニット。
【請求項４】
前記制限導入板は、フレキシブル材料により製造し、しかも自然な状態での横断面は、おおよそ弧状を呈することを特徴とする請求項１に記載のスキャナーユニット。
【請求項５】
前記制限導入板は、フレキシブル材料により製造し、しかも自然な状態での横断面は、おおよそV字型を呈することを特徴とする請求項１に記載のスキャナーユニット。
【請求項６】
前記制限導入板は、フレキシブル材料により製造し、しかも自然な状態での横断面は、おおよそＬ字型を呈することを特徴とする請求項１に記載のスキャナーユニット。
【請求項７】
前記制限導入板は、基板を備え、前記基板の片側縁は傾斜して外へと向かい延伸し翼板を形成することを特徴とする請求項６に記載のスキャナーユニット。
【請求項８】
前記フレキシブルフラットケーブルは、前記制限導入板が湾曲状態にある際の相対的な内側に位置することを特徴とする請求項１に記載のスキャナーユニット。
【考案の詳細な説明】
【技術分野】
【０００１】
本考案はスキャナーユニットに関し、特に制限導入板を備えるスキャナーユニットに関する。
【背景技術】
【０００２】
普通、スキャナーと事務機はスキャナーユニットを備える。
スキャナーユニット１００’は、図８に示すように、枠フレーム体１’、ガラス製の原稿板２’、 読み取りモジュール３’、 方向ガイド軸４’、フレキシブルフラットケーブル(Flexible Flat Cable、FFCを略称)５’、制御モジュール(図示なし)を備える。
原稿板２’には、原稿６’を載せる。
原稿板２’は、枠フレーム体１’の上部に設置する。
読み取りモジュール３’は、枠フレーム体１’内に設置し、原稿６’から情報を読み取り、信号を制御モジュールに伝送する。
読み取りモジュール３’は、方向ガイド軸４’によりガイドされる。
フレキシブルフラットケーブル５’の一端は、読み取りモジュール３’の下部に連接し、反対端は、制御モジュールを通して、電源(図示なし)に連接する。
こうして、読み取りモジュール３’に対して電力を供給し、情報をピックアップし、信号を制御モジュールに伝送することができる。
【０００３】
しかし、スキャナー及び事務機の設計は小型化が進んでおり、枠フレーム体１’内部の高さが空間としての制限となっている。
読み取りモジュール３’が原稿６’上の情報に対してピックアップを行い、フレキシブルフラットケーブル５’が読み取りモジュール３’に従って往復運動を行なう時、フレキシブルフラットケーブル５’は通常、一部が湾曲した状態となる。
湾曲部分は、フレキシブル性がより大きいため高く盛り上がり、原稿板２’に接触し(図８参照)、原稿板２’と接触、摩擦を生じ易い。
これでは、信号採集の品質と効率に悪影響を及ぼし、またフレキシブルフラットケーブル５’の摩損を引き起こしてしまう。
【考案の概要】
【考案が解決しようとする課題】
【０００４】
本考案が解決しようとする課題は、フレキシブルフラットケーブルが原稿板に接触することがないため、原稿板と摩擦を生じず、走査の品質を確保し、フレキシブルフラットケーブルの使用寿命を延長することができるスキャナーユニットを提供することである。
【課題を解決するための手段】
【０００５】
請求項１の考案は、枠フレーム体、制御モジュール、原稿板、読み取りモジュール、方向ガイド軸、ケーブルユニットを備え、前記制御モジュールは、前記枠フレーム体上に設置し、前記原稿板は、前記枠フレーム体の上部に設置し、前記方向ガイド軸は、前記枠フレーム体内に設置し、前記原稿板の下に位置し、前記読み取りモジュールは、前記方向ガイド軸上にスライド可能状態で設置し、前記ケーブルユニットの一端は、前記読み取りモジュール上に固定して接続し、反対端は、前記制御モジュール上に固定して接続し、前記ケーブルユニットは、制限導入板、及び前記制限導入板上に接着して固定するフレキシブルフラットケーブルを備え、前記制限導入板の横断面は、湾曲状を呈することを特徴とするスキャナーユニットとしている。
請求項２の考案は、前記制限導入板の自然状態における横断面は、おおよそ台形を呈し、前記制限導入板の湾曲状態における横断面は、おおよそ直線状を呈することを特徴とする請求項１に記載のスキャナーユニットとしている。
請求項３の考案は、前記制限導入板は、基板、及びそれぞれ弾力を備えた状態で、前記基板側辺に接続する２個の翼板を含み、前記２個の翼板は、前記基板より外へと向かい、前記基板の長い方向に向かって延伸し形成されることを特徴とする請求項２に記載のスキャナーユニットとしている。
請求項４の考案は、前記制限導入板は、フレキシブル材料により製造し、しかも自然な状態での横断面は、おおよそ弧状を呈することを特徴とする請求項１に記載のスキャナーユニットとしている。
請求項５の考案は、前記制限導入板は、フレキシブル材料により製造し、しかも自然な状態での横断面は、おおよそV字型を呈することを特徴とする請求項１に記載のスキャナーユニットとしている。
請求項６の考案は、前記制限導入板は、フレキシブル材料により製造し、しかも自然な状態での横断面は、おおよそＬ字型を呈することを特徴とする請求項１に記載のスキャナーユニットとしている。
請求項７の考案は、前記制限導入板は、基板を備え、前記基板の片側縁は傾斜して外へと向かい延伸し翼板を形成することを特徴とする請求項６に記載のスキャナーユニットとしている。
請求項８の考案は、前記フレキシブルフラットケーブルは、前記制限導入板が湾曲状態にある際の相対的な内側に位置することを特徴とする請求項１に記載のスキャナーユニットとしている。
【考案の効果】
【０００６】
本考案スキャナーユニットは、制限導入板を設置し、しかも制限導入板の横断面が湾曲状を呈することにより、フレキシブルフラットケーブルが原稿板に接触し、原稿板と摩擦を生じることを回避可能である。こうして、走査の品質を確保し、フレキシブルフラットケーブルの寿命を延長することができる。
【図面の簡単な説明】
【０００７】
【図１】本考案スキャナーユニットの断面模式図である。
【図２】図１に示すケーブルユニットの横断面模式図である。
【図３】図１に示すケーブルユニットの制限導入板の第一実施例が湾曲状態にある時を示す模式図である。
【図４】本考案第二実施例の制限導入板の横断面模式図である。
【図５】図４に示すケーブルユニットの制限導入板が湾曲状態にある時を示す模式図である。
【図６】本考案第三実施例の制限導入板の横断面模式図である。
【図７】本考案第四実施例の制限導入板の横断面模式図である。
【図８】従来のスキャナーユニットの断面模式図である。
【考案を実施するための形態】
【０００８】
以下に図面を参照しながら本考案を実施するための最良の形態について詳細に説明する。
【０００９】
図１に示すように、本考案スキャナーユニット１００は、枠フレーム体１、原稿板２、読み取りモジュール３、方向ガイド軸４、ケーブルユニット５、制御モジュール(図示なし)を備える。
【００１０】
図１に示すように、原稿板２は、ガラス製で光を通すことができ、枠フレーム体１の上部に設置し、原稿６を載せる。
読み取りモジュール３は、枠フレーム体１の内部に設置し、光を原稿６上に照射し、原稿６と対応する画像信号を読み取り、採集する。
読み取りモジュール３は、原稿板２下に設置する方向ガイド軸４によりサポートされ、方向ガイド軸４の軸方向に沿って往復運動を行なう。
読み取りモジュール３は、図１に示す矢印方向の往復運動を執行する。
【００１１】
図２、３に示すように、ケーブルユニット５は、第一実施例の制限導入板５１、フレキシブルフラットケーブル５２を備える。
フレキシブルフラットケーブル５２は、制限導入板５１上に接着して固定する。
フレキシブルフラットケーブル５２は、制限導入板５１が湾曲状態にある際の相対的な内側に、常に位置する。
ケーブルユニット５の上方に位置する一端は、読み取りモジュール３の下部に、固定して連接する。
フレキシブルフラットケーブル５２と読み取りモジュール３内部の部品とは、相互に接続して電気的に連接する。
ケーブルユニット５の下方に位置する反対端は、制御モジュール(図示なし)を通して、電源(図示なし)に連接する。
フレキシブルフラットケーブル５２と制御モジュール内部の部品とは、相互に接続して電気的に連接する。
【００１２】
図２、３に示すように、制限導入板５１の自然状態における横断面は、おおよそ台形を呈し、平板状を呈する基板５１１、それぞれ弾力を備えた状態で側辺に接続する２個の翼板５１２を含む。
翼板５１２は、基板５１１より傾斜して外へと向かい、基板５１１の長い方向に向かって延伸し形成される。
制限導入板５１の湾曲位置における横断面は、おおよそ直線状である。
【００１３】
図１に示すように、読み取りモジュール３が、信号を採集し、ケーブルユニット５を通して制御モジュールに伝送する時、読み取りモジュール３は、図中の矢印が示す方向に沿って、原稿板２下において水平の往復運動を行ない、これに対応して、ケーブルユニット５を連動し、往復運動を行なわせる。
【００１４】
本考案スキャナーユニット１００のケーブルユニット５は、その湾曲時に、制限導入板５１が湾曲位置において、平らになり応力を消去する。
制限導入板５１の湾曲位置を境にして、上側に位置する基板５１１の両側の翼板５１２は下方に向かう作用力を発揮し、制限導入板５１の湾曲位置を境にして、反対の下側に位置する基板５１１の両側の翼板５１２は上方に向かう作用力を発揮するため、制限導入板５１は、湾曲位置において、平らになり、応力を消去するのである。
この時、湾曲位置の基板５１１両側の翼板５１２は展開し、基板５１１と同一の滑らかな曲面を呈する。
【００１５】
図２、３に示すように、制限導入板５１の湾曲位置部分は、両側の屈折した翼板５１２の斜めに向かう応力を受けるため、垂直方向へと盛り上がる変形を生じることはできない。
すなわち、水平方向への往復運動のみが可能となり、制限導入板５１、及び制限導入板５１内側に接着して固定するフレキシブルフラットケーブル５２の運動路線と高さは、制限を受ける。
こうして、制限導入板５１は、湾曲位置において盛り上がることはなく、原稿板２との接触、摩擦を回避することができる。
またこれと同時に、基板５１１両側に位置する翼板５１２は、基板５１１の湾曲位置の内側に向かい傾斜して屈折する。
よって、湾曲位置まで動き、かつ原稿板２と比較的近い側基板５１１の両側の翼板５１２は、原稿板２と接触、摩擦することはない。
【００１６】
上記した本考案の第一実施例の制限導入板５１は、他の３種の構造を採用することができ、それらによっても制限導入板５１の機能を達成することができる。
図４に示す第二実施例の制限導入板５３は、フレキシブル材料により製造し、しかも自然な状態での横断面は、おおよそＬ字型を呈する。
制限導入板５３は、平板状の基板５３１を備え、基板５３１の片側縁は傾斜して外へと向かい延伸し、平板状の翼板５３２を呈する。
その湾曲状態は図５に示す。
図６に示す第三実施例の制限導入板５４は、フレキシブル材料により製造し、しかも自然な状態での横断面は、おおよ弧状を呈する。
図７に示す第四実施例の制限導入板５５は、フレキシブル材料により製造し、しかも自然な状態での横断面は、おおよそV字型を呈する。
【００１７】
本考案スキャナーユニット１００の制限導入板５１、５３、５４、５５は、上記した具体的な構造に限定されない。
すなわち、該項技術の習熟者が理解可能な範囲において、本考案のスキャナーユニット１００の制限導入板５１、５３、５４、５５の構造及び形態に対して行なう、対応する等価変化と修飾はすべて、本考案の保護範囲に含むものとする。
【００１８】
本考案スキャナーユニット１００は、制限導入板５１、５３、５４、５５を設置し、しかも制限導入板５１、５３、５４、５５の横断面が湾曲状を呈することにより、フレキシブルフラットケーブル５２が原稿板２に接触し、原稿板２と摩擦を生じることを回避可能である。
こうして、走査の品質を確保し、フレキシブルフラットケーブル５２の寿命を延長することができる。
【産業上の利用可能性】
【００１９】
本考案は実用新案の要件である新規性を備え、従来の同類製品に比べ十分な進歩を有し、実用性が高く、社会のニーズに合致しており、産業上の利用価値は非常に大きい。
【符号の説明】
【００２０】
１００  スキャナーユニット
１  枠フレーム体
２  原稿板
３  読み取りモジュール
４  方向ガイド軸
５  ケーブルユニット
５１  制限導入板
５１１  基板
５１２  翼板
５２  フレキシブルフラットケーブル
５３  制限導入板
５３１  基板
５３２  翼板
５４  制限導入板
５５  制限導入板
６  原稿
【図１】
0003155647.tif 000003
【図２】
0003155647.tif 000004
【図３】
0003155647.tif 000005
【図４】
0003155647.tif 000006
【図５】
0003155647.tif 000007
【図６】
0003155647.tif 000008
【図７】
0003155647.tif 000009
【図８】
0003155647.tif 000010